(57)【特許請求の範囲】
【請求項１】
ハウジング（１）と、
前記ハウジングの内部に設けられ、芳香成分を含む芳香液が貯えられた容器（４０）と、
前記容器が装着されたカバー（４１）の内部に前記ハウジングの外部と連通可能に設けられて、前記容器の内部に連通して前記容器から排出される前記芳香液の揮発気体を貯えている貯留室（４５）と、
前記ハウジングの内部に設けられ、前記揮発気体を貯えている状態の前記貯留室に空気を供給することにより前記貯留室の圧力を高めて前記貯留室に貯えられている前記揮発気体を前記ハウジングの外部に放出可能な空気供給手段（２）と、
前記カバーの取付部（４３）に装着された状態の前記容器における底部に接触して保持する支持部（５１）を有し、前記容器の上下方向の位置を保持する容器支持手段（５，５３）と、
を備え、
前記容器支持手段は、前記容器の大きさに応じて、前記支持部の上下方向の位置を調整可能にする位置調整機構（５００，５３０；５５）を有することを特徴とする芳香装置。
【請求項２】
前記位置調整機構は、前記支持部（５１）と、前記支持部に一体に設けられる爪部（５００）と、上下方向に複数並んで設けられて前記爪部が嵌る溝部（５３０）と、を備えて構成されることを特徴とする請求項１に記載の芳香装置。
【請求項３】
ハウジング（１）と、
前記ハウジングの内部において装着され、芳香成分を含む芳香液が貯えられた容器（４０）と、
前記ハウジングの外部と連通可能に前記ハウジングの内部に設けられ、前記容器から排出される前記芳香液の揮発気体が送られる貯留室（４５）と、
前記ハウジングの内部に設けられ、前記貯留室に空気を供給する手段であって、前記貯留室に存在する前記揮発気体を前記ハウジングの外部に放出可能な空気供給手段（２）と、
前記装着された前記容器の底部に接触して保持する支持部（５１）を有し、前記容器の上下方向の位置を保持する容器支持手段（５，５３）と、
を備え、
前記容器支持手段は、前記容器の大きさに応じて、前記支持部の上下方向の位置を調整可能にする位置調整機構（５００，５３０）を有しており、
前記位置調整機構は、前記支持部（５１）と、前記支持部に一体に設けられる爪部（５００）と、上下方向に複数並んで設けられて前記爪部が嵌る溝部（５３０）と、を備えて構成されることを特徴とする芳香装置。
【請求項４】
前記溝部は、前記爪部との間でラチェット機構を発揮するラチェット溝（５３０）であることを特徴とする請求項２または請求項３に記載の芳香装置。
【請求項５】
前記爪部は、前記支持部の両側からそれぞれ外方に向けて延びる脚部（５０）の先端寄りに設けられ、
前記爪部は、前記脚部が弾性変形した状態で、前記ラチェット溝に嵌っていることを特徴とする請求項４に記載の芳香装置。
【請求項６】
前記容器支持手段は、さらに、上下方向に所定の長さを有して前記支持部に一体に設けられるスライド部（５２，５２Ａ）と、前記スライド部が嵌って上下方向にスライドするレール部（５４０，５４０Ａ）と、を備えて構成されることを特徴とする請求項２から請求項５のいずれか一項に記載の芳香装置。
【請求項７】
ハウジング（１）と、
前記ハウジングの内部において装着され、芳香成分を含む芳香液が貯えられた容器（４０）と、
前記ハウジングの外部と連通可能に前記ハウジングの内部に設けられ、前記容器から排出される前記芳香液の揮発気体が送られる貯留室（４５）と、
前記ハウジングの内部に設けられ、前記貯留室に空気を供給する手段であって、前記貯留室に存在する前記揮発気体を前記ハウジングの外部に放出可能な空気供給手段（２）と、
前記装着された前記容器の底部に接触して保持する支持部（５１）を有し、前記容器の上下方向の位置を保持する容器支持手段（５）と、
を備え、
前記容器支持手段は、前記容器の大きさに応じて、前記支持部の上下方向の位置を調整可能にする位置調整機構（５５）を有しており、
前記位置調整機構は、前記支持部（５１）を上方に持ち上げる付勢力を提供する付勢手段（５５）を備えて構成されることを特徴とする芳香装置。
【請求項８】
前記容器支持手段は、さらに、上下方向に所定の長さを有して前記支持部に一体に設けられるスライド部（５２，５２Ａ）と、前記スライド部が嵌って上下方向にスライドするレール部（５４０，５４０Ａ）と、を備えて構成されることを特徴とする請求項７に記載の芳香装置。
【請求項９】
車室内に設置されることを特徴とする請求項１から請求項８のいずれか一項に記載の芳香装置。
【発明の詳細な説明】
【技術分野】
【０００１】
本発明は、芳香成分を含む芳香液の揮発気体を外部に放出することが可能な芳香装置に関する。
【背景技術】
【０００２】
特許文献１には、ハウジングの内部に、液体香料を内蔵した容器を収容し、液体香料から揮発した気体に空気を供給して芳香を装置の外部に放出する芳香装置が開示されている。
【先行技術文献】
【特許文献】
【０００３】
【特許文献１】特開２００７−２３６４００号公報
【発明の概要】
【発明が解決しようとする課題】
【０００４】
特許文献１に記載の容器を芳香装置に固定する固定構造として、例えば、ねじによる締結構造を用いて容器を芳香装置に取り付ける場合には、振動、衝撃等の発生により、ねじによる締結が緩むことがある。また、他の取付けに係る構造を用いる場合でも、振動、衝撃等の発生により取付け力が低下することがある。このように容器に提供される取付け力が低下すると、容器が外れて転倒したり、落下したりすることがある。例えば、芳香装置の内部で、容器が落下、転倒等すると、芳香液や揮発気体が外部に漏れて、ユーザーの意に反して芳香が発生し続けてしまうという問題がある。
【０００５】
本発明は、上記課題を解決するためになされたものであり、芳香液を内蔵する容器を取り付け可能な芳香装置において、容器の落下を抑制できる装置を提供することを目的とする。
【課題を解決するための手段】
【０００６】
本発明は上記目的を達成するために、下記の技術的手段を採用する。なお、特許請求の範囲及びこの項に記載した括弧内の符号は、ひとつの態様として後述する実施形態に記載の具体的手段との対応関係を示す一例であって、本発明の技術的範囲を限定するものではない。
【０００７】
開示する芳香装置に係る発明のひとつは、ハウジング（１）と、ハウジングの内部に設けられ、芳香成分を含む芳香液が貯えられた容器（４０）と、容器が装着されたカバー（４１）の内部にハウジングの外部と連通可能に設けられて、容器の内部に連通して容器から排出される芳香液の揮発気体を貯えている貯留室（４５）と、ハウジングの内部に設けられ、揮発気体を貯えている状態の貯留室に空気を供給することにより貯留室の圧力を高めて貯留室に貯えられている揮発気体をハウジングの外部に放出可能な空気供給手段（２）と、カバーの取付部（４３）に装着された状態の容器における底部に接触して保持する支持部（５１）を有し、容器の上下方向の位置を保持する容器支持手段（５，５３）と、を備え、
容器支持手段は、容器の大きさに応じて、支持部の上下方向の位置を調整可能にする位置調整機構（５００，５３０；５５）を有することを特徴とする。
【０００８】
この発明によれば、容器支持手段の支持部が容器の底部を保持することで、容器の上下方向の位置を保持するため、容器に対する取付け力が低下するような状況が発生しても、容器の落下や転倒を抑制することができる。さらに、容器支持手段は、位置調整機構によって、支持部の上下方向の位置を容器の大きさに適した位置に調整することができる。これにより、上下方向長さの異なる容器が芳香装置に装着される場合でも、その容器の底部に対応する上下方向の位置に支持部の位置を合わせた状態で容器を支持することができる。このため、様々なサイズの容器に対して、適切な保持力を提供可能とする汎用性の高い容器支持手段を提供できる。したがって、この発明は、容器の大きさに適した保持力を容器に与えることができるとともに、容器の落下等を抑制できる芳香装置を提供できる。
開示する芳香装置に係る発明のひとつは、ハウジング（１）と、ハウジングの内部において装着され、芳香成分を含む芳香液が貯えられた容器（４０）と、ハウジングの外部と連通可能にハウジングの内部に設けられ、容器から排出される芳香液の揮発気体が送られる貯留室（４５）と、ハウジングの内部に設けられ、貯留室に空気を供給する手段であって、貯留室に存在する揮発気体をハウジングの外部に放出可能な空気供給手段（２）と、装着された容器の底部に接触して保持する支持部（５１）を有し、容器の上下方向の位置を保持する容器支持手段（５，５３）と、を備え、容器支持手段は、容器の大きさに応じて、支持部の上下方向の位置を調整可能にする位置調整機構（５００，５３０）を有しており、位置調整機構は、支持部（５１）と、支持部に一体に設けられる爪部（５００）と、上下方向に複数並んで設けられて爪部が嵌る溝部（５３０）と、を備えて構成されることを特徴とする。
開示する芳香装置に係る発明のひとつは、ハウジング（１）と、ハウジングの内部において装着され、芳香成分を含む芳香液が貯えられた容器（４０）と、ハウジングの外部と連通可能にハウジングの内部に設けられ、容器から排出される芳香液の揮発気体が送られる貯留室（４５）と、ハウジングの内部に設けられ、貯留室に空気を供給する手段であって、貯留室に存在する揮発気体をハウジングの外部に放出可能な空気供給手段（２）と、装着された容器の底部に接触して保持する支持部（５１）を有し、容器の上下方向の位置を保持する容器支持手段（５）と、を備え、容器支持手段は、容器の大きさに応じて、支持部の上下方向の位置を調整可能にする位置調整機構（５５）を有しており、位置調整機構は、支持部（５１）を上方に持ち上げる付勢力を提供する付勢手段（５５）を備えて構成されることを特徴とする。
【図面の簡単な説明】
【０００９】
【図１】本発明の第１実施形態に係る芳香装置の概要構成を示す分解図である。
【図２】第１実施形態の芳香装置において、容器モジュールとハウジングとの接続構造を示す断面図である。
【図３】容器モジュールがハウジングに対して位置決め及び保持された状態を示す正面図である。
【図４】ハウジングにおいて、容器モジュールを位置決め及び保持するための構造を示す正面図である。
【図５】支持部材を示す正面図である。
【図６】ハウジングにおいて、容器モジュールを位置決め及び保持するための構造を示す下面図である。
【図７】第２実施形態に係るハウジングにおいて、容器モジュールを位置決め及び保持するための構造を示す正面図である。
【図８】第２実施形態の支持部材を示す正面図である。
【図９】第２実施形態のハウジングにおいて、容器モジュールを位置決め及び保持するための構造を示す下面図である。
【発明を実施するための形態】
【００１０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示していなくても実施形態同士を部分的に組合せることも可能である。
【００１１】
（第１実施形態）
本発明に係る一形態としての第１実施形態について図１〜図６を参照して説明する。図１に示すように、芳香装置１００は、ハウジング１、ポンプ２、制御基板３、容器モジュール４等を備える。
【００１２】
ハウジング１は、ポンプ２、制御基板３、容器モジュール４を内蔵する。ハウジング１は、大きく３個の部品で構成される筒状の筐体である。ハウジング１は、天井部に位置する上側部材１１と、筒状の側部の半分及びハウジング１の底部とを形成するベース部材１０と、ベース部材１０に着脱自在で筒状の側部の半分を形成する側部カバー部材１２と、を備えて構成される。例えば、ハウジング１は、円筒状であり、人が片手で握れる程度の外径サイズ、例えばカップホルダーに収容できる程度の外径サイズであることが好ましい。
【００１３】
上側部材１１は、ベース部材１０に対してねじ１１１による締結構造によって固定される椀状の部材である。したがって、ベース部材１０には、上側部材１１が上方から蓋をするように装着される。上側部材１１には、上側部材１１の天面の中心部から放射状に延びる複数の開口１１０が形成された保護ガードが設けられている。
【００１４】
上側部材１１の裏側であってハウジング１の上部には、制御基板３が設置されている。制御基板３には、ポンプ２の作動を制御する制御装置が搭載され、ユーザーがハウジング１の外から操作可能な電源スイッチ３０が搭載されている。制御基板３には、電源ケーブルを介した外部電源または内蔵する蓄電池からの電力が供給される。上側部材１１には、上側部材１１の天面の中心部に開口部が設けられており、この開口部には電源スイッチ３０が外部から操作可能なように露出している。
【００１５】
ベース部材１０には、ハウジング１の内部を左右の二つの空間に分けるように設けられる中央壁部材１３が固定されている。中央壁部材１３のねじ穴１３２に挿通されたねじ１３３がベース部材１０のボス穴に螺合することにより、中央壁部材１３は締結されてベース部材１０に固定される。ベース部材１０は、ハウジング１内における、左右方向の一方側において容器モジュール４が装着され、反対側の他方側においてポンプ２を下端部から上端部まで覆う。
【００１６】
側部カバー部材１２は、半円筒状であり、上側部材１１とベース部材１０の底部とで上下から挟まれるように支持される。側部カバー部材１２は、ベース部材１０との嵌め合い構造により装着される関係にある。側部カバー部材１２は、半円筒状の上端部、側端部において、ベース部材１０に設けられた係合凹部に嵌る突起部を有し、下部には弾性変形容易なＵ字状のロック端子部１２０を有する。側部カバー部材１２は、各突起部がベース部材１０の係合凹部に嵌った状態で、最後に側部カバー部材１２の下部を押すことにより、ロック端子部１２０を弾性変形させながら、ベース部材１０の底部から突出する形状の係止片１０ａに係合させてロックする。この操作によって、側部カバー部材１２をベース部材１０に結合することができる。
【００１７】
また、ベース部材１０と側部カバー部材１２との嵌め合い部には、ハウジング１内の気密性を確保するため、パッキン等のシール部材を設けることが好ましい。また、上側部材１１とベース部材１０や側部カバー部材１２との嵌め合い部にも、パッキン等のシール部材を設けることが好ましい。また、これらの両部材の嵌め合いによって、ハウジング１内の必要な気密性が確保できている場合には、シール部材を設けなくてもよい。
【００１８】
上側部材１１、ベース部材１０、側部カバー部材１２及び中央壁部材１３は、樹脂材料で形成することができる。例えば、ベース部材１０、側部カバー部材１２及び中央壁部材１３は、ＡＢＳ樹脂から形成することができる。上側部材１１は、発光ダイオード等の光を外部に照らすために、アクリル樹脂を用いて、光透過性の高い透明の部材としたり、または光を散乱させるすりガラス状に表面を形成した部材としたりすることができる。
【００１９】
電源スイッチ３０がオン状態に操作されると、芳香装置１００の電源が入り、電力がポンプ２にも供給可能になり、ポンプ２を制御可能な状態になる。ポンプ２は、電源スイッチ３０がオン状態になるとともに強制的に運転したり、設定されたタイマーに応じて運転したり、自動制御により所定の動作条件が成立した場合に運転したり、するように構成することができる。ポンプ２が運転されると、貯留室４５に空気が送り込まれ、貯留室４５の圧力が所定の条件を満たすと芳香が上側部材１１からハウジング１の外部に放出される。
【００２０】
芳香が放出される場合、制御装置は、発光ダイオード等の点灯部を点灯する。点灯した光は、上側部材１１等を照らす。この視覚による演出と放出されるアロマ成分とが相まって、ユーザーをリラックスさせることに寄与する。
【００２１】
次に、図２を参照しながら、容器モジュール４の構造について説明する。容器モジュール４は、ボトルカバー４１と、芳香成分を含む液体である芳香液を予め貯えた容器４０とを備える。容器モジュール４は、一つの容器４０に対して一つのボトルカバー４１を一体に装着した一つのユニットである。また、ユーザーが芳香液を交換したい場合には、交換前の容器４０を、新たな芳香液を内蔵する新たな容器４０に付け替える交換作業が行われる。例えば、ユーザーは、各種の芳香液を購入したい場合には、欲しい芳香液を内蔵した容器４０を購入する。そして、所望の芳香液を使用したい場合には、所望の芳香液を内蔵する容器４０に付け替えることになる。
【００２２】
また、ユーザーが芳香液を交換したい場合には、交換前の容器モジュール４を新たな芳香液を内蔵する容器４０を備える容器モジュール４ごとに交換することもできる。この場合、芳香装置１００の容器支持手段は、容器４０の底部を支持することで容器モジュール４ごとまたは容器４０の落下や転倒を抑制することができる。
【００２３】
ボトルカバー４１は、上端及び下端が開口する形状である。ボトルカバー４１は、容器４０を着脱可能に構成されている。このため、ボトルカバー４１は、下端側に容器４０の一端側が装着可能な取付部４３を備え、上端側に逆止弁の機能を有する弁装置６を内蔵する。ボトルカバー４１は、例えば、ＡＢＳ樹脂等の樹脂材料から構成されている。
【００２４】
ボトルカバー４１には、上部に内蔵する弁装置６と下部の取付部４３との間に位置する、中ほどの筒内部に貯留室４５が形成されている。貯留室４５を形成する壁には、ポンプ２から送られる空気が流れる通路４４０を内部に有するモジュール側接続部４４が設けられている。モジュール側接続部４４は、貯留室４５に直接通じる通路を有し、ボトルカバー４１の中心軸に対して直交するようにボトルカバー４１から突出する筒状部である。モジュール側接続部４４は、例えば、ボトルカバー４１と同様にＡＢＳ樹脂等の樹脂材料で形成される。
【００２５】
中央壁部材１３は、ハウジング１に固定された部材であり、ポンプ２から供給される空気が通る通路が内部に形成されたハウジング内接続部７を備える。ハウジング内接続部７は、ハウジング１の内部に設けられて、モジュール側接続部４４と接続される部分である。ハウジング内接続部７は、中央壁部材１３に対して直交するように延びる通路を内部に形成する筒状部である。ハウジング内接続部７は、例えば、中央壁部材１３と同様にＡＢＳ樹脂等の樹脂材料で形成される。
【００２６】
この筒状部は、ボトルカバー４１側に突出しており、モジュール側接続部４４の筒状部の内周面に嵌められることで内接して、ハウジング内接続部７とモジュール側接続部４４とが接続されることになる。このようにモジュール側接続部４４がハウジング内接続部７に外接するように両者が接続されることにより、モジュール側接続部４４とハウジング内接続部７との気密性が確保されることになる。モジュール側接続部４４の内径寸法とハウジング内接続部７の外径寸法とは、このような気密性が確保できる寸法関係となるように設定される。したがって、モジュール側接続部４４とハウジング内接続部７とを接続するように、容器モジュール４を中央壁部材１３に組み合わせることで、芳香装置１００における容器モジュール４の取付けを実施することができる。
【００２７】
また、モジュール側接続部４４の少なくとも内周部は、ハウジング内接続部７を形成する材料よりも軟性が高い、例えば、天然ゴム、合成ゴム等のエラストマで形成することが好ましい。この場合、モジュール側接続部４４の内周部とその他の部分とは、二色成形によって一体に製作することができる。この構成によれば、モジュール側接続部４４がハウジング内接続部７に外接したときに、モジュール側接続部４４の内周部とハウジング内接続部７の外周部との密着度が向上するので、両者の気密性だけでなく、両者間に働く保持力も高めることができる。
【００２８】
また、ハウジング内接続部７は、ハウジング１の一部に一体に形成するように構成してもよい。例えば、ハウジング内接続部７は、ベース部材１０に一体に形成するように構成することができる。
【００２９】
中央壁部材１３には、ハウジング内接続部７の反対側に筒状部７１が設けられている。筒状部７１は、ハウジング内接続部７内の通路に連通し、中央壁部材１３に対して直交するように延びる通路を内部に有する。筒状部７１の外周面には、ポンプ２とハウジング内接続部７とを連通させるチューブ２０が嵌められて接続される。チューブ２０は、例えばシリコーンゴムでできており、筒状部７１との接続部におけるシール性を向上することができる。
【００３０】
貯留室４５の上端開口の周囲に設けられる周縁部６５には、弁装置６の弁体６０が接触する。周縁部６５は、ボトルカバー４１の上部の内側に設置される筒状体である。周縁部６５の外周には、ボトルカバー４１の上部とこの筒状体とをシールするＯリング６５０が設けられている。Ｏリング６５０によるシール構造は、貯留室４５の空気が外部に漏れることを防止する。周縁部６５は、閉弁時に弁体６０が接触する弁座を構成する。弁体６０は、貯留室４５の上端開口よりも大きい外形を有し、上端開口を上方から完全に覆う。
【００３１】
弁体６０は、上方に延びるシャフト６１と一体であり、その下端部の外周にシール部材６２を備えている。シール部材６２は、弁体６０の下端部の外周面に周設する弾性変形容易な弾性部材であり、例えばＯリングを採用することができる。シャフト６１の外周には、所定のばね定数を有するコイルスプリング６３が設けられている。コイルスプリング６３は、シャフト６１と同軸に設けられている。コイルスプリング６３は、自然長よりも縮んだ状態で、その下端部が弁体６０の上面に接触し、その上端部が、ボトルカバー４１の上端部の開口部６４を形成する枠部に接触するように設けられている。したがって、弁体６０が周縁部６５に接触した状態では、コイルスプリング６３は、下方向に弁体６０を押し、上方向に前述の枠部を押す作用をする。
【００３２】
ポンプ２を運転すると、ポンプ２からの空気がチューブ２０内に送られ、さらに空気はハウジング内接続部７及びモジュール側接続部４４の内部を介して貯留室４５に到達する。貯留室４５に流入する空気供給量が増加していくと、貯留室４５の圧力が高くなる。そして、弁体６０を上方へ押す力が、コイルスプリング６３によって弁体６０を下方に押す力よりも大きくなったときに、コイルスプリング６３が軸方向に縮んで弁体６０が上方へ変位する。これにより、シール部材６２による周縁部６５とのシールが解除されて貯留室４５の上部が開放される。そして、貯留室４５の空気が上方へ移動し、芳香液の揮発気体がこの空気の移動とともに、開口部６４を通じてハウジング１の外部に流出する。
【００３３】
このように、ポンプ２は、貯留室４５に存在する揮発気体をハウジング１の外部に放出可能な空気供給手段であり、貯留室４５の圧力を変化させることができる手段でもある。そして、弁装置６は、貯留室４５の圧力が作用して当該圧力に応じて弁体６０が変位することによって貯留室４５を開放する。弁装置６は、貯留室４５とハウジング１の外部とを連通可能に構成する弁手段をなす。
【００３４】
図１、図３及び図４に示すように、容器モジュール４には、ボトルカバー４１よりも上部の円筒部分から突出する板状の突出片４２が設けられる。中央壁部材１３には、モジュール側接続部４４とハウジング内接続部７とが接続された状態で、突出片４２が収まる溝を有するガイド部１３０が設けられる。ガイド部１３０は、中央壁部材１３から、ボトルカバー４１の両側に向けてそれぞれ突出する一対の柱状部で構成される。上下方向に平行な柱状部の縦断面は、Ｕ字状を横に倒したような形状を呈する。一対の柱状部は、互いに溝が向かい合うように設けられる。突出片４２における上下方向の厚さ寸法は、ガイド部１３０に形成された溝に突出片４２が挿入可能な寸法に設定される。
【００３５】
ガイド部１３０に形成される溝や突出片４２は、モジュール側接続部４４やハウジング内接続部７が延びる方向に沿うように延びている。換言すれば、ガイド部１３０の溝や突出片４２は、モジュール側接続部４４とハウジング内接続部７とを接続する際に、容器モジュール４を押し込む方向に延びている。
【００３６】
したがって、モジュール側接続部４４とハウジング内接続部７とを接続する際には、突出片４２をガイド部１３０の溝に収めるように位置合わせし、突出片４２をガイド部１３０の溝にスライドさせながら容器モジュール４を押し込む。これにより、突出片４２がガイド部１３０によって上下方向に保持されるため、モジュール側接続部４４を少なくとも上下方向に位置決めすることができる。さらに、一対の柱状部は、互いに溝が向かい合い、突出片４２の先端面を包むように保持するため、容器モジュール４が軸心に直交する方向に移動することを阻止できる。これにより、突出片４２がガイド部１３０によって水平方向にも保持されるため、モジュール側接続部４４を左右方向、水平方向にも位置決めすることができる。以上より、モジュール側接続部４４の軸心とハウジング内接続部７の軸心とを一致させることができるため、ユーザーは両者の接続を確実かつ迅速に行うことができる。
【００３７】
また、ガイド部１３０は、中央壁部材１３ではなく、ハウジング１の一部に一体に設けられるようにしてもよい。したがって、ガイド部１３０は、ハウジング１に固定された部材またはハウジング１の一部に一体に設けられることになる。
【００３８】
また、図１及び図３に図示するように、中央壁部材１３には、容器モジュール４の外周部を外側から挟むようにして保持する一対の挟持片部１３１が設けられる。一対の挟持片部１３１は、中央壁部材１３から、ボトルカバー４１の両側に向けてそれぞれ突出する一対の突出片によって構成される。挟持片部１３１は、その根元部が中央壁部材１３に一体であり、先端が自由端である。したがって、挟持片部１３１は、中央壁部材１３に支持される片持ち梁と同様の形態であるため、弾性変形容易で先端に向かうほど左右方向に変位容易である。
【００３９】
一対の挟持片部１３１は、弾性変形容易な点を活かして、モジュール側接続部４４とハウジング内接続部７とが接続された状態で、ボトルカバー４１の取付部４３よりも上方部分を抱き抱えるように保持する。一対の挟持片部１３１のそれぞれには、先端側に互いに近づく方向に突出する突起部が設けられている。この向かい合うように突出する突起部と突起部との間隔がボトルカバー４１の抱えられる部分の直径寸法よりも小さくなる状態で、一対の挟持片部１３１はボトルカバー４１を抱えるように保持している。したがって、一対の挟持片部１３１は、モジュール側接続部４４がハウジング内接続部７から脱離する方向に容器モジュール４が移動することを阻止するように、容器モジュール４を保持できる。
【００４０】
容器４０には、芳香液を内蔵した市販の汎用ボトルを用いることができる。容器４０に貯えられる芳香液は、アロマオイルであり、例えば、既存の植物性オイルである。このオイルは、例えば、イソプロピルアルコール等のアルコール類に精油（エッセンシャルオイル）を含ませて作成することができる。
【００４１】
容器４０は、一端側（例えば上端側）に、揮発気体が排出する排出部を備えている。排出部は、容器の内部と外部とを連通させる通路を形成する。排出部は、容器４０の開口端である瓶口に設けられた排出キャップ４６で構成される。この排出キャップ４６は、ドロッパーと呼ばれ、アロマオイル等として市販される汎用ボトルに予め設けられているものを採用することができる。ドロッパーは、汎用ボトルの瓶口を下に向けたときに滴下される一滴量が所定範囲に設定される形状、サイズの排出通路を備えている。この所定範囲の滴下量は、例えば規格にしたがって設定される。
【００４２】
排出キャップ４６は、内管部と、内管部と下端部で一体に連結される外管部と、内管部と外管部との間で下方に延びるノズル部と、外管部の一端（上端）に形成されたフランジ部４６２と、が一体となる部材である。外管部は、容器４０の上端開口部に内接する。排出キャップ４６は、外管部が容器４０の上端開口部に内接し、かつフランジ部４６２が容器４０の上端に接触した状態で容器４０に装着されている。
【００４３】
容器４０の上端部には、外周に雄ねじ部４０１が形成されている。雄ねじ部４０１は、汎用ボトルを取り付けるために、汎用ボトルに予め設けられている、所定の形状、ピッチの雄ねじ部と同様である。取付部４３には、内周に、雄ねじ部４０１と螺合可能な雌ねじ部４３０が形成されている。したがって、雌ねじ部４３０は、汎用ボトルに予め設けられている雄ねじ部のサイズに適合するように形成されている。また、容器４０及び排出キャップ４６は、例えばＡＢＳ等の樹脂材料で形成することができるが、適合サイズの雄ねじ部４０１を形成できるのであれば、容器４０は樹脂製に限られるものではない。
【００４４】
このような構成により、容器４０は、雄ねじ部４０１と雌ねじ部４３０の螺合によって、容器４０の上端部が取付部４３に装着され、この装着される部分よりも下側の部分がボトルカバー４１の取付部４３から露出している。そして、容器４０内の芳香液が揮発して発生した気体は、内管部４６０の排出通路を通って容器外に流出し、貯留室４５に流入して貯えられる。
【００４５】
図３〜図５に示すように、芳香装置１００は、容器モジュール４が下方に大きく変位することを阻止するために、容器４０の底部を下方から支える支持部材５を備える。支持部材５と位置調整部５３は、上下方向の支持位置を調整可能な調整機能を有する可動式の容器支持手段である。支持部材５は、容器４０の底部が乗る支持部としての台座部５１と、台座部５１の両側から上に凸のＵ字状に延びる細長い脚部５０と、を備えて構成される。脚部５０には、その先端側に２個の爪部５００が設けられている。位置調整部５３は、中央壁部材１３に設けられ、爪部５００に係り合う複数のラチェット溝５３０を備えている。脚部５０は台座部５１の両側に２個あるので、中央壁部材１３は、それぞれの爪部５００に対応する位置に上下に並ぶ複数のラチェット溝５３０を備える。したがって、中央壁部材１３は、支持部材５の両側にそれぞれ位置調整部５３を備える。
【００４６】
爪部５００は、脚部５０の先端側において、外方に先細り状に突出する突起を構成する。この先細り状の突起は、下面が水平方向に延び、上面が先端に向かうほど下方に位置する形状である。例えば、この突起の縦断面は、直角三角形の底角の一つを形成する形状をなす。ラチェット溝５３０の内面形状も、爪部５００の外形形状に沿うように形成されている。したがって、ラチェット溝５３０、すなわちラチェット用の歯車は、通常の歯車と異なり、歯を傾けて形成されている。この傾きがラチェットに方向性をもたらしている。複数のラチェット溝５３０は、上下方向に並べて設けられる。この上下方向に並ぶ複数のラチェット溝５３０のいずれかに、爪部５００が嵌めることにより、支持部材５がその位置で保持されるので、容器４０の降下を抑制することができる。
【００４７】
第１実施形態の場合、爪部５００は、ラチェット溝５３０と係り合うことにより、上方に可動するが下方には可動しがたいラチェット機構を発揮する。換言すれば、ラチェット溝５３０は、爪部５００との間でラチェット機構を発揮する。ラチェット溝５３０で構成される歯車が適する上方向に支持部材５が移動するときは、爪部５００及びラチェット溝５３０が傾斜面同士ですべり合うため、爪部５００はラチェット溝５３０を容易に乗り越えてまたさらに上のラチェット溝５３０に落ち着く。一方、支持部材５が逆の下方向に移動しようとすると、爪部５００及びラチェット溝５３０が水平面同士で面接触するため、爪部５００はラチェット溝５３０からの大きな反力を受け、下方に移動することができない。
【００４８】
また、各脚部５０は、上に凸のＵ字状に細長く形成された部分であるので、容易に弾性変形しやすい。さらに、各爪部５００は、各脚部５０が弾性変形した状態でラチェット溝５３０に係合しているため、各脚部５０の先端側は、外方に向けて広がろうとする力をラチェット溝５３０に与える。したがって、各爪部５００とラチェット溝５３０とは、強固に係り合う関係を維持できるため、支持部材５を位置調整部５３に安定した状態で保持することに寄与する。このように、ラチェット溝５３０と爪部５００は、動作方向を一方向に制限するために用いられる。ラチェット溝５３０と爪部５００は、歯車及び歯止めとして機能することにより、支持部材５を上下方向に位置調整可能であるとともに、支持部材５の降下を阻止することができる位置調整機構を構成する。
【００４９】
さらに支持部材５は、上下方向に所定の長さを有する板状のスライド部５２を備える。さらに中央壁部材１３には、スライド部５２が嵌って上下方向にスライドするレール部５４０と、スライド部５２がレール部５４０に嵌った状態でスライド部５２がレール部５４０から脱離しないように保持する案内板部５４と、が設けられる。スライド部５２、レール部５４０及び案内板部５４は、容器４０の両側にそれぞれ位置するように設けられる。支持部材５の上下方向の位置を変更する際には、支持部材５の変位とともに、スライド部５２はレール部５４０に嵌りながら上下方向にスライドする。案内板部５４、レール部５４０、スライド部５２のそれぞれは、ラチェット溝５３０よりも、容器４０寄りの内方であって、ポンプ２寄りの奥側に位置するように設けられている。
【００５０】
支持部材５は、図６に示すように、後方側、すなわちポンプ２に近い側に、ポンプ２側に突出しかつ上下方向に所定の長さを有する板状のスライド部５２Ａをさらに備える。スライド部５２Ａは、支持部材５の背部に間隔をあけて２個設けられる。さらに中央壁部材１３には、各スライド部５２Ａが嵌って上下方向にスライドする２個のレール部５４０Ａが設けられる。支持部材５の上下方向の位置を変更する際には、支持部材５の変位とともに、各スライド部５２Ａは各レール部５４０Ａに嵌りながら上下方向にスライドする。
【００５１】
このように支持部材５の両側及び後方側において、スライド部とレール部とにより、その上下方向の摺動が安定的に行われるため、上下方向の位置調整を行う際の操作性が格段に向上する。また、これらのスライドに係る構造によれば、支持部材５の上下方向の位置調整を行う際に、台座部５１が傾いてしまうことを抑制でき、台座部５１が傾いた姿勢で容器４０の底部を支持することを防止できる。
【００５２】
台座部５１の上下方向の高さ位置を変更する際には、支持部材５を上方に持ち上げることにより、前述したように各爪部５００がより上方のラチェット溝５３０に移動する。この移動のときに、スライド部５２はレール部５４０を上方にスライドするとともに、さらにスライド部５２Ａはレール部５４０Ａを上方にスライドする。案内板部５４は、爪部５００がラチェット溝５３０から外れないように、手前側、つまりユーザー側に位置するスライド部５２の前面を保持する。これにより、上方に移動しやすく、下方に移動しがたく、中央壁部材１３からの脱離を阻止する機能を有して、容器４０の下方への移動を抑制する容器支持手段を提供できる。
【００５３】
次に、芳香装置１００において、容器モジュール４ごとを交換する際の手順について説明する。まず、現在装着されている容器モジュール４を取り外す作業を実施する。側部カバー部材１２を片方の手でつかみ、Ｕ字状のロック端子部１２０をもう一方の手の指でつまむようにしてベース部材１０の底部の係止片１０ａとのロック状態を解除し、側部カバー部材１２を引き抜いてベース部材１０から取り外す。そして、容器モジュール４のボトルカバー４１の中ほどあるいは上部を指でつまみ、手前側に引くと、モジュール側接続部４４とハウジング内接続部７との接続状態が解除されて容器モジュール４を引き出すことができる。
【００５４】
次に、新たな容器モジュール４を取り付ける作業を説明する。新たな容器モジュール４について、ボトルカバー４１の中ほどあるいは上部を指でつまみ、突出片４２をガイド部１３０に形成された溝に挿入して奥側（ポンプ２側）に押し入れていく。これにより、モジュール側接続部４４をハウジング内接続部７に正確に位置合わせすることができる。さらに容器モジュール４を奥側に押し進め、モジュール側接続部４４がハウジング内接続部７に当接した状態から、最後のひと押しをすると、モジュール側接続部４４がハウジング内接続部７に外接して接続する際の抵抗感が得られるとともに装着が終了する。このとき、一対の挟持片部１３１によってボトルカバー４１の外周部が外側から挟まれるように保持されるため、容器モジュール４の脱離を阻止する機能を強化することができる。
【００５５】
次に、容器４０の降下を抑制するために、支持部材５及び位置調整部５３を含む容器支持手段によって容器４０を下方から保持する作業を実施する。支持部材５を指でつまみ、中央壁部材１３に装着された容器モジュール４の容器４０の底部に下から台座部５１が当たるまで、支持部材５を押し上げる。この際、爪部５００がラチェット溝５３０に確実に嵌るように、台座部５１を水平に保つように押し上げる。以上の作業により、容器４０の降下を抑制する作用を容器モジュール４に与えることができる。最後に、側部カバー部材１２をベース部材１０に取り付け、芳香装置１００を所定の場所に設置することにより、交換作業は完了する。
【００５６】
次に、芳香装置１００がもたらす作用効果について述べる。芳香装置１００は、装着された容器４０の底部に接触して保持する台座部５１を有し、容器４０の上下方向の位置を保持する容器支持手段を備える。容器支持手段は、容器４０の大きさに応じて、台座部５１の上下方向の位置を調整可能にする位置調整機構を有する。
【００５７】
この構成によれば、容器支持手段の台座部５１が容器４０の底部を保持することで、容器４０の上下方向の位置を保持する。このため、容器４０に対する取付け力が低下するような状況が発生しても、容器４０の落下や転倒を抑制できる。さらに、容器支持手段は、位置調整機構によって、台座部５１の上下方向の位置を容器４０の大きさに適した位置に調整することを可能にする。これにより、上下方向長さの異なる容器４０や容器モジュール４が芳香装置１００に装着される場合でも、その容器４０の底部に対応する上下方向の位置に台座部５１の位置を合わせることができ、確実に容器４０を支持することができる。このため、様々なサイズの容器４０や容器モジュール４に対して、適切な保持力を提供可能とする汎用性の高い容器支持手段を提供できる。したがって、芳香装置１００は、容器４０の大きさに適した保持力を容器４０に与えることを実現し、容器４０の落下等を抑制することができる。
【００５８】
また、位置調整機構は、台座部５１と、台座部５１に一体に設けられる爪部５００と、上下方向に複数並んで設けられて爪部５００が嵌る溝部と、を備えて構成される。この構成によれば、爪部５００が上下方向に並ぶ複数の溝部にいずれかに嵌まるように係合することにより、台座部５１の上下方向の位置を容易に設定することができる。
【００５９】
また、前述の溝部は、爪部５００との間でラチェット機構を発揮するラチェット溝５３０であることが好ましい。これによれば、支持部材５が上方に移動しやすく下方に移動しがたいという機能を有するので、容器４０の下方への移動を確実に抑制する容器支持手段を提供できる。
【００６０】
また、爪部５００は、台座部５１の両側からそれぞれ外方に向けて延びる脚部５０の先端寄りに設けられる。爪部５００は、脚部５０が弾性変形した状態で、ラチェット溝５３０に嵌っている。この構成によれば、各脚部５０の先端側は弾性力によって外方に向けて広がろうとする力をラチェット溝５３０に提供する。したがって、各爪部５００とラチェット溝５３０との係合力を向上することができる。したがって、支持部材５を位置調整部５３に安定した状態で保持することに貢献できる。
【００６１】
また、容器支持手段は、さらに、上下方向に所定の長さを有して台座部５１に一体に設けられるスライド部５２，５２Ａと、スライド部５２，５２Ａが嵌って上下方向にスライドするレール部５４０，５４０Ａと、を備えて構成される。
【００６２】
この構成によれば、支持部材５の上下方向の位置調整を行う作業において台座部５１が傾いてしまうことを抑制できる。これにより、台座部５１が傾いた姿勢で容器４０の底部を支持して芳香装置１００が使用されてしまう事態を防止できる。
【００６３】
さらに、芳香装置１００によれば、新たな容器モジュールの交換の際には、貯留室４５と直接通じる通路を内部に有するモジュール側接続部４４をハウジング内接続部７に接続する。このため、モジュール側接続部４４は芳香液が付着しない部位であるため、新たな容器モジュール４を何度付け替えても、交換の前後で、交換前の芳香液と交換後の芳香液とが接触して混ざり合うことを防止できる。したがって、交換後の芳香液が醸し出す本来の香りを損なうような事態を回避できる芳香装置１００を実現できる。
【００６４】
また、芳香装置１００は、容器モジュール４から突出する突出片４２と、ハウジング１に固定された部材またはハウジング１の一部に一体に設けられるガイド部１３０と、を備える。ガイド部１３０は、突出片４２が収まる溝を有して上下方向の移動を抑制するように容器モジュール４を保持可能に構成される。新たな芳香液に交換する際には、新たな容器モジュール４のモジュール側接続部４４がハウジング内接続部７に位置合わせされ、さらにガイド部１３０に突出片４２を保持させた状態で、新たな容器モジュール４がハウジング１の内部に進入する。
【００６５】
この構成によれば、突出片４２をガイド部１３０の溝に収めてスライドさせながら、新たな容器モジュール４をハウジング１の内部に進入させることができる。これにより、突出片４２の上下方向の移動が抑制された状態で容器モジュール４の進入動作が行われるので、容器モジュール４を上下方向に関して正確な位置で装着することができる。また、この効果により、容器モジュール４が傾かないように交換作業を実施することができる。
【００６６】
また、ガイド部１３０を構成する一対の柱状部は、互いに溝が向かい合い、突出片４２の先端面を包むように保持する。この構成によれば、容器モジュール４が軸心に交差する方向に移動すること、例えば左右方向に大きく移動することを阻止できる。これにより、突出片４２がガイド部１３０によって水平方向に保持されるため、振動により、容器モジュール４に対して回転方向の力が作用したとしても、この動きを防止することが可能である。したがって、モジュール側接続部４４とハウジング内接続部７との接続状態が緩んだり、容器モジュール４の脱落や大きな傾きによって、芳香液が外部に漏れるような事態を防止できる。
【００６７】
また、芳香装置１００は、ハウジング１に固定された部材またはハウジング１の一部に一体に設けられ、容器モジュール４の外周部を外側から挟むようにして保持する一対の挟持片部１３１を備える。一対の挟持片部１３１は、モジュール側接続部４４とハウジング内接続部７とが接続された状態で、モジュール側接続部４４がハウジング内接続部７から脱離する方向への容器モジュール４の移動を抑制する。
【００６８】
この構成によれば、容器モジュール４が軸心に交差する方向に移動することを阻止できる。これによれば、衝撃、振動等により、モジュール側接続部４４とハウジング内接続部７との接続状態が緩んだり、解除されて容器モジュール４が脱落したりするような事態を防止できる。
【００６９】
また、ハウジング１は複数の部材（ベース部材１０、上側部材１１、側部カバー部材１２）が組み立てられることで筒状に形成される。モジュール側接続部４４は、複数の部材のうち、筒状の側面に位置し、容器モジュール４を覆う側部カバー部材１２を取り外した状態でハウジング内接続部７に接続される。これによれば、新たな芳香液に交換するときには、側部カバー部材１２を取り外すと、容器モジュール４を外部に露出させることができる。このため、交換前の容器モジュール４の取り外しと、新たな容器モジュール４の装着とを片手の出し入れによって実施可能であり、簡便な操作性の向上が図れる。
【００７０】
また、芳香装置１００は、自動車の車室内に設置され、車室内で用いられることが好ましい。これによれば、車両特有の振動や衝撃に対して、容器４０の落下や転倒を抑制できる有用な芳香装置１００を提供できる。
【００７１】
さらに、芳香装置１００は、複数の部材を組み立てられるハウジング１の一部を車室内の内装部品に固定することにより、車室内に設置されることが好ましい。ここでいう内装部品は、例えば、インストルメントパネルの一部、空調装置の吹出しグリル、シート、内装材等の車室内に設けられる各種の部材である。
【００７２】
これによれば、車両特有の振動や衝撃に対して、容器４０の落下や転倒を抑制できる有用な芳香装置１００を提供できる。また、容器モジュール４の交換の際には、ハウジング１の一部をなす一つの部材を取り外した状態で、新たな容器モジュール４を装着し、さらに容器モジュール４を覆うように当該部材を取り付けて元に戻す。このとき、ハウジング１の一部が内装部品に固定されているので、交換作業を行う者は、片手で作業を実施することが可能である。したがって、容器モジュール４の交換作業を狭い作業空間で、さらに小さい体の動きでもって実施することが可能である。
【００７３】
（第２実施形態）
第２実施形態では、第１実施形態に係る容器支持手段の他の形態について、図７〜図９を参照して説明する。各図において、第１実施形態と同様の構成であるものは同一の符号を付し、同様の作用、効果を奏するものである。第２実施形態で特に説明しない構成、作用、効果については、第１実施形態と同様である。以下、第１実施形態と異なる点についてのみ説明する。
【００７４】
図７に図示するように、第２実施形態の容器支持手段が有する位置調整機構は、台座部５１を上方の持ち上げる付勢力を提供する付勢手段の一例として、コイルばね５５を備える。このため、第２実施形態の位置調整機構は、図７〜図９に図示するように、支持部材１０５は、容器４０の底部が乗る台座部５１と、上下方向に所定の長さを有する板状のスライド部５２とを備えるが、支持部材５が有する脚部５０、爪部５００を備えない。したがって、第２実施形態の容器支持手段は、位置調整部５３やラチェット溝５３０も備えない。
【００７５】
コイルばね５５は、上端が中央壁部材１１３に固定され、下端が支持部材１０５に固定されている。コイルばね５５は、例えば台座部５１が図７に図示する位置にあるとき、すなわち、台座部５１が最下部位にあるときに、自然長よりも上下方向に伸びた状態で設けられている。したがって、コイルばね５５は、縮まろうとするため、台座部５１に対して常に上方に引き上げる力を作用させている。また、コイルばね５５のばね定数は、支持部材１０５に対して下方向の外力を作用させていない状態において台座部５１の静止位置が、装着される容器モジュール４の底部よりも高い位置となるような値に設定される。このようなばね定数を有するコイルばね５５を用いることにより、大きさの異なる容器４０を使用しても、コイルばね５５は、常に台座部５１を上方の持ち上げる付勢力を提供することができる。
【００７６】
また、付勢手段としては、コイルばね５５の代わりに、弾性変形によって伸縮可能となる細長状のゴム、板ばね等の弾性体を用いることもできる。
【００７７】
新たな容器４０に交換する際には、新たな容器４０を有する容器モジュール４について、ボトルカバー４１の中ほどあるいは上部を指でつまみ、突出片４２をガイド部１３０に形成された溝に挿入して奥側（ポンプ２側）に押し入れていく。そして、モジュール側接続部４４がハウジング内接続部７に当接した状態から、最後のひと押しをすると、モジュール側接続部４４がハウジング内接続部７に外接して装着が終了する。このとき、支持部材１０５を指でつまみ下方に引き下げておく。
【００７８】
次に、容器４０の底部を支持するために、引き下げていた支持部材１０５から手を離すと、コイルばね５５の復元力により支持部材５が上方に持ち上げることにより、容器４０の底部に台座部５１が当接し、さらに台座部５１は上方に押し上げられて静止する。
【００７９】
第２実施形態の容器支持手段によれば、付勢手段が復元力によって支持部材１０５を情報に引き上げるため、台座部５１が容器４０の底部を上方に向けて押し上げ、容器４０を保持する。これにより、容器支持手段は、容器４０の上下方向の長さが異なる場合でも、位置調整機能を発揮することができ、容器４０に対する取付け力が低下するような状況が発生しても、容器４０の落下や転倒を抑制できる。したがって、第２実施形態の容器支持手段によれば、様々なサイズの容器４０や容器モジュール４に適応する保持力を、簡便な構成によって提供することができる。
【００８０】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００８１】
前述の実施形態においては、ユーザーが芳香液を交換したい場合には、交換前の容器４０を新たな芳香液を内蔵する新たな容器４０に交換するが、これを容器モジュール４ごと交換するようにしてもよい。また、容器モジュール４は、容器４０とボトルカバー４１とが一つの部品として構成される形態でもよい。これによれば、容器４０とボトルカバー４１を一部品として製作することができ、容器４０とボトルカバー４１は、一体不可分に構成される。この場合には、容器支持手段は、前述した構成により、容器モジュール４ごとの落下、転倒を抑制することができる。例えば、ユーザーは、各種の芳香液を購入したい場合には、欲しい芳香液を内蔵した容器モジュール４という一つのユニットごと購入する。そして、所望の芳香液を使用したい場合には、所望の芳香液を内蔵する容器モジュール４ごと付け替えることになる。
【００８２】
前述の実施形態においては、ハウジング内接続部７がモジュール側接続部４４の内側に嵌ることで両者が接続されるが、ハウジング内接続部７とモジュール側接続部４４との接続に係る構造はこのような形態に限定されない。モジュール側接続部４４がハウジング内接続部７の内側に嵌る接続構造でもよい。
【００８３】
また、前述の実施形態においては、モジュール側接続部４４が容器モジュール４の外周部から突出する形状であるが、モジュール側接続部４４が容器モジュール４の外周部よりも凹む位置に設けられる構成でもよい。この場合には、ハウジング内接続部７が中央壁部材１３から容器モジュール４側に突出する形状であり、ハウジング内接続部７が容器モジュール４の外周部よりも容器モジュール４の中心軸寄りの位置で、モジュール側接続部４４に接続されることになる。
【００８４】
前述の実施形態のポンプ２は、貯留室４５に空気を供給して貯留室４５の圧力を変化させて、弁装置６による貯留室４５の開放を促す装置であるが、本発明の空気供給手段はこれに限定されない。例えば、空気供給手段は、弁装置６を利用することなく、貯留室４５に供給した空気の風量によって、貯留室４５の揮発気体を直接押し出し、ハウジング１の外部に放出する装置であってもよい。
【００８５】
前述の実施形態の芳香装置１００は、他の機器と一体に設けられたり、他の機器に内蔵されたりするものであってもよい。例えば、芳香装置１００は、イオン発生装置、照明装置と一体に構成することができる。また、芳香装置１００における、空気の流れ方向、弁装置６の弁体６０の移動方向は、上記実施形態で説明するものに限定されない。
【００８６】
また、前述の実施形態のポンプ２には、空気を供給する装置として、シロッコファン、軸流ファン、ターボファン等を備える送風機を用いることができる。
【００８７】
前述の実施形態の排出キャップ４６は、容器４０の上端開口部に装着される部品であるが、この形態に限定されない。例えば、排出キャップ４６は、容器４０と一体の部分であって、その上端開口部に一体に形成されて排出通路を構成する部分であってもよい。
【００８８】
前述の実施形態において、支持部材５の脚部５０には、その先端側に２個の爪部５００が設けられているが、ラチェット溝５３０に係合する爪部５００は１個でもよいし、３個以上でもよい。
【符号の説明】
【００８９】
１…ハウジング
２…ポンプ（空気供給手段）
５…支持部材（容器保持手段）
４０…容器
４５…貯留室
５１…台座部（支持部）
５３…位置調整部（容器保持手段）
５５…コイルばね（位置調整機構）
５００…爪部（位置調整機構）
５３０…ラチェット溝（位置調整機構）
【図１】
0006330680.tif 000002
【図２】
0006330680.tif 000003
【図３】
0006330680.tif 000004
【図４】
0006330680.tif 000005
【図５】
0006330680.tif 000006
【図６】
0006330680.tif 000007
【図７】
0006330680.tif 000008
【図８】
0006330680.tif 000009
【図９】
0006330680.tif 000010